(57)【要約】【課題】簡単な機構でバトンを水平状態を維持したまま昇降動させることができ、また、バネを用いた低コストな手動引き上げ、引き下げ式の構造であっても昇降動が無理なくスムーズに行えるバトン装置を提供する。【解決手段】バトン１と、バトン１を昇降させる昇降装置４と、バトン１と昇降装置４とを接続する接続部材とからなるバトン装置において、接続部材を幕体３とし、必要に応じて幕体３の一部又は全部にスクリーン生地５を用いたバトン装置。【選択図】図１
0003130688.tif 000002
【実用新案登録請求の範囲】
【請求項１】
バトンと、バトンを昇降させる昇降装置と、バトンと昇降装置とを接続する接続部材とからなるバトン装置において、接続部材を幕体としたことを特徴とするバトン装置。
【請求項２】
幕体の一部又は全部にスクリーン生地を用いたことを特徴とする請求項１に記載のバトン装置。
【請求項３】
幕体の少なくとも下部が透明素材となっていることを特徴とする請求項１又は２に記載のバトン装置。
【考案の詳細な説明】
【技術分野】
【０００１】
この考案は、会議室、宴会場、体育館、劇場等において、各種パネルやポスター或いは演出装置等の各種吊下物を昇降させるバトン装置に関するものである。
【背景技術】
【０００２】
従来のバトン装置は、各種吊下物を固定するため水平状態に維持された長尺のバトンと、バトンを設置すべき位置の天井等に固定されバトンを昇降させる昇降装置とからなり、バトンと昇降装置とはベルトや紐等の紐状体で接続されて昇降装置の下にバトンを吊り下げるようにしておいて、昇降装置がこの紐状体を伸ばしたり縮めたりすることによりバトンの昇降動作をしていた。
【０００３】
紐状体によるバトンの昇降原理としては、例えば、直接ワイヤーを引き上げたり伸ばしたりしてバトンを昇降動させるものがあり、ワイヤーの駆動手段としては、手動によりワイヤーを巻いたり戻したりして行うものや（例えば、特許文献１参照）、電動巻上機等の機械的手段を用いるものがある（例えば、特許文献２参照）。
【０００４】
また、昇降装置の回転体にプーリーを設け、このプーリーにベルトやワイヤー等の紐状体を巻回し、回転体を駆動モーター等にて正逆回転駆動することにより、プーリーに巻かれた紐状体を巻き上げたり戻したりしてバトンを昇降動させるものもある（例えば、特許文献３参照）。
【特許文献１】特開平８−２４５１８５号公報（図１）
【特許文献２】実用新案登録第３０６４４８４号（図１）
【特許文献３】実用新案登録第３０３８９３４号公報（図１、図２）
【考案の開示】
【考案が解決しようとする課題】
【０００５】
ところで、バトンを吊り下げているベルトやワイヤーなどの紐状体を引き上げたり伸ばしたりすることでバトンを昇降動させている場合、通常は長尺のバトンの両端部付近に紐状体を接続するが、バトンへの吊下物の重量によっては紐状体に負担がかかったりバトンが撓んだりすることになる。
【０００６】
そのため、上記特許文献１乃至３では、１本のバトンを３本以上の紐状体で吊して各紐状体の負担を軽減したりバトンの撓みを少なくしているが、全ての紐状体の長さ調整を適切に行わないと、一番短い２本の紐状体以外のものが弛んでしまうことがあると共に、バトンの昇降時の複数の紐状体の移動も同期して制御しなければバトンの水平状態を保持したままの昇降動が保てなくなる。
【０００７】
ここで特許文献３のように、複数のプーリーを設けた駆動軸自体を回転させることで、プーリーにベルトを巻き取るようにしたものは、各プーリーが同期して回転するため各ベルトも同期して昇降動するので、バトンの水平状態を維持したままの昇降動を図ることができる。
【０００８】
また、比較的軽量な吊下物を吊り下げるバトンにおいては、特許文献３のモーターによる駆動に変えて、巻きバネを用いて軸をプーリーの巻き取り方向に作用させておき、通常状態ではバネの力でバトンは上昇位置にあり、必要に応じてバトンを人力でバネ力に抗して引き下げ、所定位置で適宜手段によりバネの巻き取り作用を停止させ、バトンを任意の高さに保持するようにしたバネを用いた低コストな手動引き上げ、引き下げ式のバトン装置とすることもできる。
【０００９】
しかしながら、バトンが上昇した位置でベルトが巻き上がった時のバネの巻き取りトルクに比べて、バトンが下降した位置でベルト等が伸びきった時のバネの巻き取りトルクの方が強いため、バトンの位置による巻き上げトルクの変動が生じてしまう問題があった。
【００１０】
即ち、最下降付近の位置にあったバトンを巻き上げようとする場合は、ベルトが伸びきった際のバネの強力な巻き上げトルクでバトンの上昇速度が速くなり、吊下物が落下したり人体に当たって怪我をするおそれがあり、一方、バトンの位置が天井付近にある場合は、ベルトを巻き上げ済のバネの巻き上げトルクが少ないため、吊下物を吊り下げたバトンをうまく巻き上げられないおそれがあった。
【００１１】
そこでこの考案の課題は、簡単な機構でバトンを水平状態を維持したまま昇降動させることができ、また、バネを用いた低コストな手動引き上げ、引き下げ式の構造であっても昇降動が無理なくスムーズに行えるバトン装置を提供することにある。
【課題を解決するための手段】
【００１２】
上記のような課題を解決するため、請求項１の考案は、バトンと、バトンを昇降させる昇降装置と、バトンと昇降装置とを接続する接続部材とからなるバトン装置において、接続部材を幕体としたバトン装置である。
【００１３】
また、請求項２の考案は、上記請求項１のバトン装置の考案において、幕体の一部又は全部にスクリーン生地を用いた構成を採用したものである。
【００１４】
また、請求項３の考案は、上記請求項１又は２に記載のバトン装置の考案において、幕体の少なくとも下部が透明素材となっている構成を採用したものである。
【考案の効果】
【００１５】
請求項１の考案によれば、バトンの昇降動を１つの幕体の巻き上げ、巻き戻しにて行うので、従来の複数本のベルトやワイヤーを用いたバトンに比較して、各紐状体の長さや巻き上げ速度の調整等を必要とせずに簡単な機構でバトンを水平状態を維持したまま昇降動させることが可能で、昇降時のバトンのバランスが良くなると共に、低コストなバトン装置となる。
【００１６】
また、接続部材が紐状体の場合、切れれば直ちにバトンが落下して事故につながるが、接続部材が紐状体に比べて強度を保ちやすい幕体を用いるので、切断抵抗を向上させた幕体を用いることでバトンの落下事故を未然に防ぐことができる。
【００１７】
更に、バネによる巻き取りドラムを利用したバトン装置を用いた場合、従来のもののようにバトンの位置によって巻き上げトルクが変動することがなく、バネによる巻き上げを利用したバトン装置であってもバトンのスムーズな昇降動が可能となる。
【００１８】
即ち、シート状の幕体は紐状のワイヤーやベルトに比べて重量があるので、バトンが下降位置にあり幕体が伸びた状態では、バネによる幕体の巻き取り力が強くなっているが、このバネの強力な巻き取りトルクに対して、バネにはバトンと吊下物の重量に加えて幕体の重量が加わっており、一方、バトンが上昇位置にあり幕体が巻き取られた状態ではバネによる幕体の巻き取り力が弱くなっているが、このバネの弱いトルクに対して、巻き取りドラムに巻き取られている幕体の重量が作用しないことになり、バトン位置によるバネの巻き上げトルクの変動を緩和することになり、バトンのスムーズな昇降動が得られる。
【００１９】
また、必然的に幕体の重量を加えたバトンを昇降動させるだけの力があるバネやモーターを用いることになるので、吊下物の有無やその重量に影響をあまり受けることなくスムーズなバトンの昇降動を行うことができる。
【００２０】
請求項２の考案によれば、バトン装置としての用途の他に、バトンを下まで伸ばした際にスクリーン装置としての役目も持たせることができ、体育館や会議室等でバトン装置とスクリーン装置を別々に購入して用意する必要がなくなりコスト削減に役立つ。
【００２１】
請求項３の考案によれば、幕体の少なくとも下部が透明素材であるので、幕体の下部の透明素材の部分のみが引き出された状態とすることで、バトンと天井付近の昇降装置との間にはバトンと昇降装置を接続する目障りな部材が見あたらず、あたかもバトンが空中に浮いているような印象を与えることができる。
【考案を実施するための最良の形態】
【００２２】
以下、この考案の実施例を添付図面を参考にして説明する。
【００２３】
図１及び図２に示すように、この考案のバトン装置のバトン１は、水平状態を維持したまま図１中一点鎖線で示す最上昇位置から実線で示す最下降位置までの間の任意の位置で固定できるようになっており、必要に応じて吊下物を固定するための長尺状の取付具２をバトン１の長さ方向に沿って複数個設けている。
【００２４】
取付具２は、上部が蝶番となる２枚の板状体からなり、バネの力により両板状体は閉じており、バネの力に抗して下部を開き、紙等の吊下物を両板状体の間に入れてバネの力により閉じることで、吊下物を挟み込んで固定する構造であるが、取付具２の構造は上記のものに限定されず、既知の取付具であればどのような構造の物であってもよい。
【００２５】
上記バトン１の最上昇位置から最下降位置の間の昇降動は、バトン１に接続された可撓性を有するシート状の幕体３が昇降装置４により昇降動することにより行われている。
【００２６】
幕体３は軸に巻き取ることが可能な可撓性のもので、バトン１を吊下物と共に吊り下げる程度の強度があれば材質は特に限定されず、各種布シートや合成樹脂製シート等適宜なものを用いることができる。
【００２７】
また、この実施形態では、幕体３の表側を全面白一色のスクリーン生地５としており、バトン装置としての用途の他に、バトン１を最下降させた場合はスクリーン生地５が表れてスクリーン装置としても用途も得られる。
【００２８】
上記昇降装置４は、天井等に適宜手段により固定され、昇降装置４のカバー６内に、バネ等の巻き取り力が付勢された巻き取りドラム１０（図２参照）が収納され、この巻き取りドラム１０に幕体３が巻き付いてバネ等の力で巻き上げられており、このバネ力に抗してバトン１の中央部の把手７を手に持ったりフックに掛けてから引き下げた際は、幕体３は昇降装置４内の巻き取りドラムを巻き上げ方向と逆方向に回転させながら下方に移動し、巻き取りドラムに設けられた既知のカム手段により任意の引き下げ位置で巻き上げを停止できるようになっている。
【００２９】
図１及び図２のバトン装置は上記のような構造であり、体育館や会議室等で、ポスターやパネル等の各種軽量な展示物を取付具２により吊り下げ、昇降装置４内のカム機構等適宜手段によりバトン１を任意の位置で停止させてバトンとして用いると共に、バトン１を最下部まで引き下げて停止させ、スクリーン生地５を用いてスクリーン装置として用いることもでき、１台で２役の役目を果たすので、用具の保管場所の削減やコスト削減になる。
【００３０】
図３は、この考案の他の実施形態を示すもので、主要部分は図１のものと同一の構造であるが、幕体３の最下部から一定の範囲を透明素材８とし、その上をスクリーン生地５で構成したものである。
【００３１】
透明素材８としては、幕体３と同様、軸に巻き取ることが可能なものでバトン１を吊下物９と共に吊り下げる程度の強度がある透明なものでれば材質は特に限定されず、各種合成樹脂製シート等を用いることができる。
【００３２】
このようにすると、図３（Ａ）のように、バトン１の通常の使用の際、ポスターやパネル等の展示物である吊下物９を吊り下げた状態で、天井付近の昇降装置４からバトン１の間には、幕体３のうち露出しているのは、透明素材８のみであり、吊下物９があたかも空中に浮かんでいるような印象を与えることになる。
【００３３】
図３（Ｂ）は、バトン１を把手７を下に引くことにより一番下まで引き下げて幕体３全体を露出させた状態を示すものであり、この場合、幕体３の上部のスクリーン生地５が露出し、この部分を映像投影用のスクリーン装置として利用することができる。
【００３４】
なお、スクリーン装置として用途が不要な場合は、幕体３の全体を透明素材８にて形成しても良い。
【００３５】
以上この考案の実施形態について述べたが、この考案は上記実施形態に限定されるものではなく、この考案の目的の範囲内で適宜変更して実施することができ、図示のものはバネによる昇降装置４と把手７による引き下げによりバトン１の高さ調整を行ったが、これに限定されず、例えば、モーターにより幕体３を自動的に昇降させる装置としても良い。
【００３６】
また、この実施形態では、バトン１の長さは昇降装置４のカバー６の長さと略同一としたが、バトン１の長さをカバー６より長く、即ち幕体３の両側から突出するような長さとしてもよい。
【図面の簡単な説明】
【００３７】
【図１】この考案のバトン装置の一例を示す正面図である。
【図２】この考案のバトン装置の一例を示す側面図である。
【図３】（Ａ）（Ｂ）はこの考案のバトン装置の他の例を示す正面図である。
【符号の説明】
【００３８】
１  バトン
２  取付具
３  幕体
４  昇降装置
５  スクリーン生地
６  カバー
７  把手
８  透明素材
９  吊下物
１０  巻き取りドラム
【図１】
0003130688.tif 000003
【図２】
0003130688.tif 000004
【図３】
0003130688.tif 000005